(57)【特許請求の範囲】
【請求項１】
移動体通信の基地局を擬似して移動体通信端末（２）を試験する移動端末試験装置（１）であって、
前記移動体通信の基地局を擬似する複数の疑似基地局部（１８−１、２、３）と、
画像を表示する表示部（１２）と、
前記表示部に状態表示画像を表示させる制御部（１４）と、を備え、
前記制御部は、前記複数の疑似基地局部ごとにそれぞれの疑似基地局部が使用するバンドの番号及び報知情報に設定されているＭＦＢＩの情報とともに前記移動体通信端末の周波数バンドの情報として接続中の周波数バンド番号と使用可能な周波数バンド番号を前記状態表示画像に表示させる移動端末試験装置。
【請求項２】
移動体通信の基地局を擬似する複数の疑似基地局部（１８−１、２、３）を備えて移動体通信端末を試験する移動端末試験装置の状態表示方法であって、
前記複数の疑似基地局部ごとにそれぞれの疑似基地局部が使用するバンドの番号及び報知情報に設定されているＭＦＢＩの情報とともに前記移動体通信端末の周波数バンドの情報として接続中の周波数バンド番号と使用可能な周波数バンド番号を表示するステップを備えた状態表示方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行なわせ、この通信の内容を確認する試験を行なっている。
【０００３】
この試験装置は、予め生成された試験シナリオ（以下、単にシナリオと記す）に従って動作する。このシナリオには、試験装置の動作の設定や移動体通信端末との通信シーケンスなどが設定されている。シナリオは、実施する試験項目ごとに作成する必要があり、シナリオ作成者がシナリオ生成装置や試験装置を用いて各種のシナリオを作成する。このようなシナリオ生成装置が、特許文献１に開示されている。
【先行技術文献】
【特許文献】
【０００４】
【特許文献１】特開２００８−１９９０８５号公報
【発明の概要】
【発明が解決しようとする課題】
【０００５】
ところで、無線通信方式のＬＴＥ（Long Term Evolution）の規格では、通信に使用する周波数帯域である周波数バンド（以下、単に「バンド」とも記す）が複数決められており、それぞれのバンドが通信事業者に割り当てられ、使用されている。基地局は、所属する通信事業者に割り当てられたバンドを使って通信可能になっている。基地局は、通信に使用する１つのバンドを、報知情報に設定して移動体通信端末に常に通知している。
【０００６】
この複数のバンドの中には、使用する周波数帯域が重複するバンドが存在する。周波数帯域が重複するバンドの１つを通信に使用する基地局では、重複している周波数帯域であれば、所属する通信事業者に割り当てられていないバンドを使用する移動体通信端末でも通信することができる。このように、重複しているバンドの通信も可能なようにすれば、基地局の使用するバンドを使用できない移動体通信端末でも通信を行なうことができるようになり、利便性が向上する。
【０００７】
このような機能を実現させるためには、基地局がどのバンドでの通信が可能かを移動体通信端末が知ることが必要となる。このため、ＬＴＥの規格では、報知情報に通信可能なバンド情報としてＭＦＢＩ（Multi Frequency Band Indicator）を設定するようにしている。
【０００８】
このＭＦＢＩを使用する試験を行なう場合、報知情報のＭＦＢＩの内容や、試験対象の移動体通信端末の使用可能なバンドや、移動体通信端末が接続中のバンドなどが分からないと、目的の試験の実行や目的の試験を実行できたかの確認などが容易に行なえなかった。
【０００９】
そこで、本発明は、試験の実行や試験の確認を容易に行なわせることができる移動端末試験装置を提供することを目的としている。
【課題を解決するための手段】
【００１０】
本発明の移動端末試験装置は、移動体通信の基地局を擬似して移動体通信端末を試験する移動端末試験装置であって、移動体通信の基地局を擬似する複数の疑似基地局部と、画像を表示する表示部と、表示部に状態表示画像を表示させる制御部と、を備え、制御部は、複数の疑似基地局部ごとにそれぞれの疑似基地局部が使用するバンドの番号及び報知情報に設定されているＭＦＢＩの情報とともに移動体通信端末の周波数バンドの情報として接続中の周波数バンド番号と使用可能な周波数バンド番号を状態表示画像に表示させるものである。
【００１１】
この構成により、複数の疑似基地局部ごとにそれぞれの疑似基地局部の情報と移動体通信端末の周波数バンドの情報が表示部に表示される。このため、複数の疑似基地局部ごとにそれぞれの疑似基地局部の情報と移動体通信端末の情報を共に表示することにより、試験の実行や試験の確認を容易に行なわせることができる。
【００１８】
また、本発明の状態表示方法は、移動体通信の基地局を擬似する複数の疑似基地局部を備えて移動体通信端末を試験する移動端末試験装置の状態表示方法であって、複数の疑似基地局部ごとにそれぞれの疑似基地局部が使用するバンドの番号及び報知情報に設定されているＭＦＢＩの情報とともに移動体通信端末の周波数バンドの情報として接続中の周波数バンド番号と使用可能な周波数バンド番号を表示するステップを備えたものである。
【００１９】
この構成により、複数の疑似基地局部ごとにそれぞれの疑似基地局部の情報と移動体通信端末の情報が表示される。このため、複数の疑似基地局部ごとにそれぞれの疑似基地局部の情報と移動体通信端末の情報を共に表示することにより、試験の実行や試験の確認を容易に行なわせることができる。
【発明の効果】
【００２０】
本発明は、試験の実行や試験の確認を容易に行なわせることができる移動端末試験装置を提供することができる。
【図面の簡単な説明】
【００２１】
【図１】図１は、本発明の一実施形態に係る移動端末試験装置のブロック図である。
【図２】図２は、本発明の一実施形態に係る移動端末試験装置のＭＦＢＩ情報設定画面を示す図である。
【図３】図３は、本発明の一実施形態に係る移動端末試験装置のＬＴＥバンドの周波数帯域を示す表である。
【図４】図４は、本発明の一実施形態に係る移動端末試験装置のＬＴＥバンドの重複バンドを示す表である。
【図５】図５は、本発明の一実施形態に係る移動端末試験装置のＬＴＥバンドのサポートバンド幅を示す表である。
【図６】図６は、本発明の一実施形態に係る移動端末試験装置の擬似基地局の状態表示画面を示す図である。
【発明を実施するための形態】
【００２２】
以下、図面を参照して、本発明の実施形態について詳細に説明する。
図１において、本発明の一実施形態に係る移動端末試験装置１は、擬似基地局として同軸ケーブル等を介して有線で移動体通信端末２と無線信号を送受信するようになっている。
【００２３】
移動端末試験装置１は、操作部１１と、表示部１２と、表示制御部１３と、制御部１４と、シナリオ生成部１５と、記憶部１６と、シナリオ処理部１７と、擬似基地局部１８−１〜３と、結合器１９とを含んで構成されている。
【００２４】
操作部１１は、キーボード、マウス、タッチパネル等の入力機器で構成され、操作入力されたシナリオの生成に必要な情報などを表示制御部１３に出力する。表示部１２は、液晶ディスプレイ等の画像表示機器で構成され、シナリオの生成に必要な情報を入力させる画像や試験中の状態を示す画像などを表示する。
【００２５】
表示制御部１３は、表示部１２に表示させる画像を生成して表示させるものであり、制御部１４の指示により画像の生成と表示の制御を行なうようになっている。また、表示制御部１３は、操作部１１に入力された情報に基づいて表示部１２の表示を変更させたり、操作部１１に入力された情報を制御部１４に送信したりする。
【００２６】
制御部１４は、操作部１１に入力された指示に従って、シナリオの作成画面を表示制御部１３により表示部１２に表示させてシナリオの生成に必要な情報を入力させたり、シナリオの作成画面で操作部１１に入力された情報をシナリオ生成部１５に送信してシナリオを生成させたりする。また、制御部１４は、操作部１１に入力された指示に従って、シナリオ処理部１７に指示を送信して記憶部１６に記憶されたシナリオに基づいて試験を実行させたり、シナリオ処理部１７から送信される擬似基地局部１８−１〜３の状態や移動体通信端末２との通信の状態などの情報に基づいて表示制御部１３により表示部１２に試験中の状態などを表示させたりする。
【００２７】
シナリオ生成部１５は、制御部１４から送信されたシナリオ生成のための情報に基づいて、移動体通信端末２を試験するためのシナリオを生成する。このシナリオには、擬似基地局部１８−１〜３の動作の設定や、移動体通信端末２との通信シーケンスが設定される。シナリオ生成部１５は、シナリオ生成のための情報に基づいて擬似基地局部１８−１〜３から送信する送信情報を生成する送信情報生成部１５０を備えている。
【００２８】
送信情報生成部１５０は、シナリオ生成のための情報に基づいて擬似基地局部１８−１〜３の報知情報や位置登録処理における送信情報などを生成する。送信情報生成部１５０は、報知情報を生成する報知情報生成部１５１を備えている。
【００２９】
報知情報生成部１５１は、例えば、個別に設定された擬似基地局部１８−１〜３の擬似する基地局の動作の設定の情報に基づいて、報知情報を生成する。また、報知情報生成部１５１は、擬似基地局部１８−１〜３の擬似する基地局のセル配置の情報に基づいて、報知情報の隣接セルの情報などを自動的に生成する。
【００３０】
記憶部１６は、ハードディスク装置やフラッシュメモリで構成され、シナリオ生成部１５で生成された各種のシナリオを記憶する。
【００３１】
シナリオ処理部１７は、制御部１４からの指示により、記憶部１６に記憶されているシナリオを読み出して、そのシナリオに基づいて擬似基地局部１８−１〜３に、報知情報を送信させたり、移動体通信端末２との間で通信シーケンスを実行させたりする。
【００３２】
擬似基地局部１８−１〜３は、シナリオ処理部１７の指示により、移動体通信端末２との間で無線信号を送受信する。
【００３３】
結合器１９は、擬似基地局部１８−１〜３の送信する無線信号を結合して移動体通信端末２に送信する。また、結合器１９は、移動体通信端末２から受信した信号を擬似基地局部１８−１〜３それぞれに送信する。
【００３４】
ここで、移動端末試験装置１は、移動体通信端末２と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００３５】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００３６】
このように、本実施の形態において、記憶部１６は、ＲＡＭ又はハードディスク装置によって構成され、表示制御部１３、制御部１４、シナリオ生成部１５及びシナリオ処理部１７は、ＣＰＵによって構成され、擬似基地局部１８−１〜３は、通信モジュールによって構成される。
【００３７】
このような構成の移動端末試験装置１において、移動体通信端末２の試験を行なう場合、まず、ユーザにより試験に使用するシナリオの作成が行なわれる。制御部１４は、ユーザによる操作部１１の操作によりシナリオの作成の機能が選択されると、例えば、表示部１２にシナリオ作成画面を表示させて、擬似基地局部１８−１〜３で擬似する基地局の情報や実行させたいシーケンスなどを設定させる。
【００３８】
ユーザは、目的の試験に合わせて各種情報を基地局ごとに設定する。制御部１４は、設定された情報をシナリオ生成部１５に送信して擬似基地局のシナリオを生成させる。シナリオ生成部１５は、制御部１４から受信した情報に基づいて、報知情報やシーケンス情報などを生成し、擬似基地局のシナリオとして識別情報と関連付けて記憶部１６に記憶させる。
【００３９】
また、ユーザは、複数の基地局を使った試験を行なう場合、基地局のセルの配置を設定する。制御部１４は、設定されたセル配置の情報をシナリオ生成部１５に送信してセル配置のシナリオを生成させる。シナリオ生成部１５は、制御部１４から受信したセル配置の情報に基づいて、使用すると設定された擬似基地局のシナリオの報知情報の隣接セルの情報などを自動的に生成し、セル配置のシナリオとして使用する擬似基地局のシナリオと識別情報と関連付けて記憶部１６に記憶させる。
【００４０】
このようなシナリオの作成をした後、ユーザは、移動端末試験装置１と移動体通信端末２とを有線で接続し、使用する擬似基地局のシナリオまたはセル配置のシナリオを選択する。
【００４１】
制御部１４は、選択された擬似基地局のシナリオまたはセル配置のシナリオの識別情報をシナリオ処理部１７に通知し、シナリオ処理部１７にシナリオを実行させる。
【００４２】
シナリオ処理部１７は、通知された識別情報に関連付けられたシナリオを記憶部１６から読み出し、読み出したシナリオに基づいて擬似基地局部１８−１〜３に報知情報の内容や位置登録処理における送信情報などを通知し、擬似基地局としての動作を開始させる。
【００４３】
また、シナリオ処理部１７は、シナリオの実行を開始すると、シナリオを実行している擬似基地局部１８−１〜３の状態を制御部１４に通知するようになっている。
【００４４】
制御部１４は、シナリオ処理部１７から擬似基地局部１８−１〜３の状態の情報を受信すると、表示制御部１３により表示部１２に擬似基地局部１８−１〜３の状態や移動体通信端末２の接続状態などを表示させる。
【００４５】
使用する擬似基地局のシナリオを選択した後、ユーザは、移動体通信端末２の電源を入れるなどして位置登録を行なわせ、移動端末試験装置１側で位置登録が正常に行なわれたかを確認する。
【００４６】
制御部１４は、位置登録が行なわれた状態で、ユーザによる操作部１１の操作により擬似基地局のシナリオに設定されたシーケンスの実行の操作が行なわれると、シナリオ処理部１７に指定されたシーケンスの実行を指示する。
【００４７】
シナリオ処理部１７は、制御部１４からシーケンスの実行の指示を受信すると、指定されたシーケンスの情報に基づいて各擬似基地局部１８−１〜３から無線信号を送信させたり、移動体通信端末２から受信した無線信号に対する無線信号を各擬似基地局部１８−１〜３から送信させたりする。
【００４８】
このような移動端末試験装置１において、操作部１１の操作によりＭＦＢＩの情報の設定が選択された場合、制御部１４は、表示制御部１３により表示部１２に図２に示すような画面を表示させ操作部１１の操作によりＭＦＢＩの情報を設定させる。
【００４９】
図２において、バンドドロップダウンリスト１０１は、擬似する基地局で使用するバンドを設定させるものである。制御部１４は、バンドドロップダウンリスト１０１で選択されたバンドでＭＦＢＩに指定できるバンドをＭＦＢＩチェックボックス１０２−０〜３として表示させる。
【００５０】
また、制御部１４は、バンドドロップダウンリスト１０１で選択されたバンドの周波数帯域の周波数上の位置を、例えば、色付きでバンド表示部１０５に表示させる。さらに、制御部１４は、ＭＦＢＩに指定できるバンドの周波数帯域の周波数上の位置を、バンド表示部１０５に表示させたバンドの周波数帯域との周波数上の位置関係が分かるようにＭＦＢＩ表示部１０６に表示させる。つまり、制御部１４は、擬似する基地局で使用すると選択されたバンドと、ＭＦＢＩに指定できるバンドの周波数の重複している部分が分かるように表示する。
【００５１】
図２では、使用するバンドとしてバンド５が選択された場合を示している。バンド５の周波数帯域はＬＴＥの規格で図３のように決められており、バンド５と周波数帯域が重複しているバンドは、図４に示すようにバンド１８、１９、２６がある。制御部１４は、このバンド１８、１９、２６をＭＦＢＩとして指定できるバンドとしてＭＦＢＩ表示部１０６に表示させる。
【００５２】
ＭＦＢＩチェックボックス１０２−０〜３は、ＭＦＢＩに指定するバンドを選択させるものである。ＭＦＢＩチェックボックス１０２−０がチェックされると、制御部１４は、ＭＦＢＩとしてバンド１８、１９、２６を設定する。ＭＦＢＩチェックボックス１０２−１〜３がチェックされると、制御部１４は、それぞれバンド１８、１９、２６を個別にＭＦＢＩに設定する。
【００５３】
制御部１４は、ＭＦＢＩチェックボックス１０２−０〜３で選択されたバンドについて、ＭＦＢＩ表示部１０６の周波数帯域を選択されていないバンドと異なる画像で、例えば、色付きで表示させる。これにより、ＭＦＢＩに選択されたバンドの周波数帯域を視覚的に確認することができる。
【００５４】
図２では、ＭＦＢＩチェックボックス１０２−１、２がチェックされ、バンド１８、１９が選択されているので、ＭＦＢＩ表示部１０６のバンド１８、１９の周波数帯域は色付きで表示されているが、バンド２６の周波数帯域には色がついていない。なお、バンド表示部１０５の周波数帯域の色と、ＭＦＢＩ表示部１０６の周波数帯域の色を、異なる色とすると、使用するバンドとＭＦＢＩのバンドとの区別がつきやすくなる。
【００５５】
バンド幅ドロップダウンリスト１０３は、擬似する基地局で通信に使用する周波数帯域の幅を設定させるものである。バンド幅は、バンドごとに対応するか否かが図５に示すように決まっている。図２で示したバンド幅「３ＭＨｚ」は、バンド５では対応しているが、バンド１８、１９では、対応していない。このように、バンド幅ドロップダウンリスト１０３で選択されたバンド幅が、ＭＦＢＩチェックボックス１０２−０〜３で選択されたバンドで対応していない場合、制御部１４は、ＭＦＢＩ表示部１０６の対応バンドの部分に、バンド幅警告表示１１１を表示させる。
【００５６】
中心周波数スライダー１０４は、使用する周波数帯域の中心周波数を設定させるものである。制御部１４は、中心周波数スライダー１０４が左に行くほど中心周波数を低くし、中心周波数スライダー１０４が右に行くほど中心周波数を高くする。
【００５７】
制御部１４は、中心周波数スライダー１０４の位置に対応した周波数とチャネル番号を、周波数表示部１０７及びチャンネル番号表示部１０８に表示させる。
【００５８】
また、制御部１４は、バンド表示部１０５及びＭＦＢＩ表示部１０６の周波数帯域を表示している部分の中心周波数スライダー１０４の位置に対応した周波数の位置に、中心周波数バー１０９及び周波数帯域枠１１０を表示させる。
【００５９】
制御部１４は、中心周波数スライダー１０４の動きに対応して、中心周波数スライダー１０４の位置に対応した周波数の位置に中心周波数バー１０９を移動させ、中心周波数スライダー１０４と一緒に周波数帯域枠１１０も移動させる。制御部１４は、バンド幅ドロップダウンリスト１０３で選択されたバンド幅に対応して周波数帯域枠１１０の幅を変えて表示させる。
【００６０】
図２のバンド１８のように、中心周波数スライダー１０４で指定された中心周波数はバンドの周波数帯域内に入っているが、中心周波数からバンド幅ドロップダウンリスト１０３で選択されたバンド幅の両端のどちらかがバンドの周波数帯域から外れている場合、制御部１４は、ＭＦＢＩ表示部１０６の対応バンドの部分に、バンド幅帯域外警告表示１１２を表示させる。
【００６１】
また、図２のバンド１９のように、中心周波数スライダー１０４で指定された中心周波数がバンドの周波数帯域内に入っていない場合、制御部１４は、ＭＦＢＩ表示部１０６の対応バンドの部分に、中心周波数帯域外警告表示１１３を表示させる。
【００６２】
このように、バンド表示部１０５及びＭＦＢＩ表示部１０６に、使用するバンドの周波数帯域とＭＦＢＩとして指定可能なバンドの周波数帯域を表示しているため、視覚的に各バンドの周波数の重複部分を確認させることができ、ＭＦＢＩの設定を容易に行なわせることができる。
【００６３】
また、各バンドの周波数帯域の表示に重ねて、中心周波数バー１０９と周波数帯域枠１１０を表示しているため、使用しようとしている中心周波数と周波数帯域幅が各バンドをどのようにカバーしているかを視覚的に確認させることができ、ＭＦＢＩの設定を容易に行なわせることができる。
【００６４】
また、バンド幅ドロップダウンリスト１０３で選択されたバンド幅に対応して周波数帯域枠１１０の幅を変えて表示しているため、周波数帯域幅を視覚的に確認させることができ、ＭＦＢＩの設定を容易に行なわせることができる。
【００６５】
また、バンドドロップダウンリスト１０１で選択された周波数バンドに対応するＭＦＢＩで設定可能なバンドをＭＦＢＩチェックボックス１０２−０〜３に表示しているため、ＭＦＢＩのバンドを調べることなく設定させることができ、ＭＦＢＩの設定を容易に行なわせることができる。
【００６６】
また、バンド幅ドロップダウンリスト１０３で選択されたバンド幅がＭＦＢＩに設定すると選択されたバンドで対応していない場合、バンド幅警告表示１１１を表示しているため、バンド幅が対応されていないことを容易に確認させることができる。
【００６７】
また、中心周波数スライダー１０４で指定された中心周波数はバンドの周波数帯域内に入っているが、中心周波数からバンド幅ドロップダウンリスト１０３で選択されたバンド幅の両端のどちらかがバンドの周波数帯域から外れている場合、バンド幅帯域外警告表示１１２を表示しているため、使用しようとしている周波数帯域がバンドの周波数帯域外になっていることを容易に確認させることができる。
【００６８】
また、中心周波数スライダー１０４で指定された中心周波数がバンドの周波数帯域内に入っていない場合、中心周波数帯域外警告表示１１３を表示しているため、中心周波数がバンドの周波数帯域外になっていることを容易に確認させることができる。
【００６９】
なお、図２では、ダウンリンク（移動端末試験装置１から移動体通信端末２に向かうリンク）の設定の画面を示したが、アップリンク（移動体通信端末２から移動端末試験装置１に向かうリンク）の設定の場合も同様に実施できる。
【００７０】
制御部１４は、図２に示すような画面により設定されたＭＦＢＩの情報、例えば、使用するバンド、中心周波数、バンド幅、ＭＦＢＩに設定するバンドなどを含む擬似基地局のシナリオ情報をシナリオ生成部１５に送信する。
【００７１】
シナリオ生成部１５の報知情報生成部１５１は、受信した擬似基地局のシナリオ情報に基づいて、関連する報知情報、例えば、System Information Block Type1、System Information Block Type2などにＭＦＢＩの情報などを生成して設定する。
【００７２】
シナリオ生成部１５は、このようにして生成された擬似基地局のシナリオを、例えば、ユーザに入力された識別情報により識別可能に記憶部１６に記憶させる。
【００７３】
このようにして作成した擬似基地局のシナリオのセル配置の設定を行なう場合、ユーザは、操作部１１の操作により、セル配置の設定を選択する。
【００７４】
制御部１４は、ユーザの操作部１１への操作によりセル配置の設定が選択されると、記憶部１６に記憶されている擬似基地局のシナリオの、例えば、識別情報を読み出し、一覧にして表示部１２に表示させ、セル配置の設定を行なう擬似基地局のシナリオの選択を行なわせるメッセージを表示させる。
【００７５】
制御部１４は、ユーザの操作部１１への操作によりセル配置の設定を行なう擬似基地局のシナリオが選択されると、例えば、表示部１２に選択された擬似基地局のシナリオに対応したセルのアイコンを表示させ、ユーザの操作部１１への操作によりアイコンの位置を変えさせてアイコンの位置によりセル配置の設定を行なわせる。
【００７６】
制御部１４は、ユーザの操作部１１への操作によりセル配置の設定の完了が選択されると、表示部１２に表示されたアイコンの位置からセルの隣接関係を判定し、セル配置の情報を生成して、セル配置の情報と選択された擬似基地局のシナリオの識別情報をシナリオ生成部１５に送信する。また、制御部１４は、セル配置の情報と選択された擬似基地局のシナリオの識別情報をセル配置のシナリオとして、例えば、ユーザに入力された識別情報により識別可能に記憶部１６に記憶させる。
【００７７】
シナリオ生成部１５は、制御部１４からセル配置の情報と選択された擬似基地局のシナリオの識別情報を受信すると、セル配置の情報に基づいて擬似基地局のシナリオの報知情報を報知情報生成部１５１により生成させる。
【００７８】
報知情報生成部１５１は、セル配置の情報に基づいて、関連する報知情報、例えば、System Information Block Type5などにＭＦＢＩの情報などを生成して設定する。
【００７９】
また、報知情報生成部１５１は、隣接するセルが異なる無線システム（InterRAT（Radio Access Technology））である場合でも、System Information Block Type19(W-CDMA(Wideband Code Division Multiple Access),TD-SCDMA(Time Division-Synchronous Code Division Multiple Access))、System Information 2 quarter(GSM（登録商標）(Global System for Mobile communications)/GPRS(General Packet Radio Service)) 、Alternative Technologies Information Message(CDMA2000 1X)、OtherRATNeighbourList Message(CDMA2000 1x EV-DO)などにＭＦＢＩの情報を生成して設定する。
【００８０】
シナリオ生成部１５は、生成された報知情報により、記憶部１６に記憶している擬似基地局シナリオを変更する。
【００８１】
このようにして生成したシナリオを使用する場合、ユーザは、操作部１１の操作により、例えば、シナリオの設定を選択する。
【００８２】
制御部１４は、ユーザの操作部１１への操作によりシナリオの設定が選択されると、記憶部１６に記憶されている擬似基地局のシナリオ及びセル配置のシナリオの、例えば、識別情報を読み出し、一覧にして表示部１２に表示させ、設定するシナリオの選択を行なわせるメッセージを表示させる。
【００８３】
制御部１４は、ユーザの操作部１１への操作により擬似基地局のシナリオが選択されると、選択された擬似基地局のシナリオの識別情報をシナリオ処理部１７に送信する。
【００８４】
シナリオ処理部１７は、制御部１４から擬似基地局のシナリオの識別情報を受信すると、記憶部１６から識別情報に対応する擬似基地局のシナリオを読み出し、擬似基地局部１８−１に擬似基地局のシナリオに従った処理を行なわせる。
【００８５】
また、制御部１４は、ユーザの操作部１１への操作によりセル配置のシナリオが選択されると、選択されたセル配置のシナリオの識別情報をシナリオ処理部１７に送信する。
【００８６】
シナリオ処理部１７は、制御部１４からセル配置のシナリオの識別情報を受信すると、記憶部１６から識別情報に対応するセル配置のシナリオを読み出し、セル配置のシナリオに関連付けられた擬似基地局のシナリオの識別情報から擬似基地局のシナリオを読み出し、擬似基地局のシナリオの数に対応した擬似基地局部１８−１〜３に擬似基地局のシナリオに従った処理を行なわせる。
【００８７】
このようにシナリオが設定され、擬似基地局部１８−１〜３による処理が開始されると、擬似基地局部１８−１〜３は、擬似している基地局の情報や接続されている移動体通信端末２の情報をシナリオ処理部１７に送信する。
【００８８】
擬似基地局部１８−１〜３は、送信している報知情報の内容や送受信している無線信号の状態などから擬似している基地局の情報を生成してシナリオ処理部１７に送信する。また、擬似基地局部１８−１〜３は、移動体通信端末２との間で送受信する制御信号などから移動体通信端末２の情報を生成してシナリオ処理部１７に送信する。
【００８９】
シナリオ処理部１７は、擬似基地局部１８−１〜３から受信した擬似基地局の情報や接続されている移動体通信端末２の情報を、それぞれの擬似基地局部１８−１〜３を識別する識別情報を付けて制御部１４に送信する。
【００９０】
制御部１４は、シナリオ処理部１７から擬似基地局の情報や接続されている移動体通信端末２の情報を受信すると、擬似基地局部１８−１〜３ごとに図６に示すような状態表示画面を表示部１２に表示させる。
【００９１】
図６において、制御部１４は、バンド表示部２０１に、擬似基地局部１８−１〜３の使用するバンドの番号を表示させる。制御部１４は、ＭＦＢＩ表示部２０２には、報知情報に設定されているＭＦＢＩの情報を表示させる。
【００９２】
また、制御部１４は、移動体通信端末２の情報として、接続バンド表示部２０３に、移動体通信端末２が接続中のバンド番号を表示させる。制御部１４は、接続チャンネル表示部２０４に、移動体通信端末２が接続中のチャンネル番号を表示させる。制御部１４は、サポートバンド表示部２０５に、移動体通信端末２が使用可能なバンド番号を表示させる。
【００９３】
このように、移動体通信端末２の接続バンドや使用可能なバンドなどを表示部１２に表示しているため、移動体通信端末２の状態を容易に把握させることができ、試験の実行を容易に行なわせることができる。
【００９４】
例えば、図６に示すように、移動体通信端末２のサポートバンドが４と１８であり、擬似基地局のバンドが５でＭＦＢＩが１８、１９であることが分かると、ハンドオーバー先としてバンド１８のチャンネルを指定してハンドオーバーが正常に終了することで、ハンドオーバーの正常試験を容易に実行し、確認することができる。
【００９５】
また、ハンドオーバー先として移動体通信端末２がサポートしていないバンド５のチャンネルを指定してハンドオーバーができないことで、準正常の試験を容易に実行し、確認することができる。
【００９６】
このように、上述の実施形態では、擬似基地局部１８−１〜３による処理が開始されると、表示部１２に擬似する基地局ごとに接続中の移動体通信端末２の周波数バンドの情報を表示させる制御部１４を備える。
【００９７】
これにより、擬似する基地局と接続中の移動体通信端末２の情報が表示部１２に表示される。このため、擬似する基地局と接続中の移動体通信端末２の情報を容易に確認させることができ、試験の実行や試験の確認を容易に行なわせることができる。
【００９８】
また、制御部１４は、移動体通信端末２の情報として移動体通信端末２が接続中の周波数バンドを接続バンド表示部２０３に表示させる。
【００９９】
これにより、移動体通信端末２が接続中の周波数バンドが表示部１２に表示される。このため、移動体通信端末２が接続中の周波数バンドを容易に確認させることができ、試験の実行や試験の確認を容易に行なわせることができる。
【０１００】
また、制御部１４は、移動体通信端末２の情報として移動体通信端末２が使用可能な周波数バンドをサポートバンド表示部２０５に表示させる。
【０１０１】
これにより、移動体通信端末２が使用可能な周波数バンドが表示部１２に表示される。このため、移動体通信端末が使用可能な周波数バンドを容易に確認させることができ、試験の実行や試験の確認を容易に行なわせることができる。
【０１０２】
また、制御部１４は、移動体通信端末２の情報とともに、擬似する基地局のＭＦＢＩの情報をＭＦＢＩ表示部２０２に表示させる。
【０１０３】
これにより、擬似する基地局のＭＦＢＩの情報が表示部１２に表示される。このため、擬似する基地局のＭＦＢＩの情報を容易に確認させることができ、試験の実行や試験の確認を容易に行なわせることができる。
【０１０４】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【０１０５】
１  移動端末試験装置
２  移動体通信端末
１１  操作部
１２  表示部
１３  表示制御部
１４  制御部
１５  シナリオ生成部
１６  記憶部
１７  シナリオ処理部
１８−１〜３  擬似基地局部
１９  結合器
【図１】
0006047593.tif 000002
【図２】
0006047593.tif 000003
【図３】
0006047593.tif 000004
【図４】
0006047593.tif 000005
【図５】
0006047593.tif 000006
【図６】
0006047593.tif 000007